(57)【要約】【課題】コンバータ装置の信頼性を高める。【解決手段】コンバータ装置１００の出力端子１１６には、入力コンデンサＣ２を含む負荷（インバータ装置２００）が接続される。ＤＣ／ＤＣコンバータ１１０は、リアクトルＬ１、スイッチング素子ＳＷ１，ＳＷ２および出力端子１１６と接続される平滑コンデンサＣ１を含み、出力端子１１６にＤＣリンク電圧ＶＤＣを発生させる。主スイッチＭＣ１は、ＤＣ／ＤＣコンバータ１１０の入力端子１１２と蓄電手段１０２の間に設けられる。充電抵抗Ｒ１は、主スイッチＭＣ１と並列に設けられる。異常検出部１２０は、出力端子１１６に接続される入力コンデンサＣ２の容量が許容値より小さいか否かを判定する。【選択図】図２
2016174473.tif 000002
【特許請求の範囲】
【請求項１】
入力コンデンサを含む負荷が接続される出力端子と、
リアクトル、スイッチング素子および前記出力端子と接続される平滑コンデンサを含み、前記出力端子にＤＣリンク電圧を発生させるＤＣ／ＤＣコンバータと、
前記ＤＣ／ＤＣコンバータの入力端子と蓄電手段の間に設けられる主スイッチと、
前記主スイッチと並列に設けられる充電抵抗と、
前記出力端子に接続される前記入力コンデンサの容量が許容値より小さいか否かを判定する異常検出部と、
を備えることを特徴とするコンバータ装置。
【請求項２】
前記異常検出部は、前記ＤＣリンク電圧の立ち上がり波形にもとづいて、前記入力コンデンサの容量が許容値より小さいか否かを判定することを特徴とする請求項１に記載のコンバータ装置。
【請求項３】
前記異常検出部は、前記平滑コンデンサおよび前記入力コンデンサの充電開始後、所定時間内に前記ＤＣリンク電圧がしきい値電圧を超えたか否かにもとづいて、前記入力コンデンサの容量が許容値より小さいか否かを判定することを特徴とする請求項１または２に記載のコンバータ装置。
【請求項４】
前記異常検出部は、前記平滑コンデンサおよび前記入力コンデンサの充電開始後、前記ＤＣリンク電圧が所定電圧を超えるのに要する時間が、所定時間より長いか否かにもとづいて、前記入力コンデンサの容量が許容値より小さいか否かを判定することを特徴とする請求項１または２に記載のコンバータ装置。
【請求項５】
前記異常検出部は、充電開始後のある時刻ｔにおけるＤＣリンク電圧ＶＤＣを測定し、前記充電抵抗の抵抗値Ｒ、前記蓄電手段の電圧ＶＥを用いて、
Ｃ＝−ｔ／Ｒ×１／ｌｏｇ（１−ＶＤＣ／ＶＥ）
にもとづいて、前記平滑コンデンサおよび前記入力コンデンサの合成容量Ｃを算出することを特徴とする請求項１から４のいずれかに記載のコンバータ装置。
【請求項６】
前記合成容量Ｃの値にもとづき、前記充電抵抗の好ましい値もしくは前記充電抵抗に追加すべき抵抗値を表示する表示器をさらに備えることを特徴とする請求項５に記載のコンバータ装置。
【請求項７】
前記主スイッチと並列な経路に、前記充電抵抗と直列に接続されたリレーをさらに備え、
前記入力コンデンサの容量が前記許容値より大きいとき、リレーをオフすることを特徴とする請求項１から６のいずれかに記載のコンバータ装置。
【請求項８】
前記入力コンデンサの容量が許容値より大きいときに、異常を通知する表示部をさらに備えることを特徴とする請求項１から７のいずれかに記載のコンバータ装置。
【発明の詳細な説明】
【技術分野】
【０００１】
本発明は、コンバータ装置に関する。
【背景技術】
【０００２】
直流電圧のレベルを変換したり、１次側と２次側の間で電力を相互に供給する目的で、コンバータ装置が用いられる。図１は、コンバータ装置１００ｒの回路図である。
【０００３】
コンバータ装置１００ｒは、電池やキャパシタなどの蓄電手段１０２と、ＤＣ／ＤＣコンバータ１１０と、を備える。ＤＣ／ＤＣコンバータ１１０は、昇圧（Ｂｏｏｓｔ）コンバータ、降圧（Ｂｕｃｋ）コンバータ、回生コンバータ、双方向ＤＣ／ＤＣコンバータ、昇降圧コンバータなどであり、蓄電手段１０２の電圧ＶＥを受け、それを昇圧してＤＣリンクバス１０４に接続される負荷２００に出力する。あるいはＤＣ／ＤＣコンバータ１１０は、インバータ装置２００からの回生電力を受け、蓄電手段１０２に回収する。
【０００４】
ＤＣ／ＤＣコンバータ１１０は、リアクトルＬ１、スイッチング素子（単にスイッチとも称する）ＳＷ１，ＳＷ２、平滑コンデンサＣ１を備える。平滑コンデンサＣ１は、ＤＣリンクバス１０４と接続され、ＤＣリンクバス１０４の電圧（ＤＣリンク電圧）ＶＤＣを安定化する。スイッチＳＷ１およびスイッチＳＷ２は、平滑コンデンサＣ１と並列に接続される。スイッチＳＷ１、ＳＷ２の接続点をスイッチングノード１１４と称する。ダイオードＤ１１，Ｄ１２は、スイッチＳＷ１，ＳＷ２と並列に設けられる。リアクトルＬ１は、ＤＣ／ＤＣコンバータ１１０の入力端子１１２とスイッチングノード１１４の間に設けられる。ダイオードＤ２１，Ｄ２２は保護素子である。
【０００５】
ＤＣ／ＤＣコンバータ１１０の図示しないコントローラは、力行運転時においてスイッチＳＷ１、ＳＷ２をスイッチングし、蓄電手段１０２の電圧ＶＥを所定の電圧レベルに昇圧し、ＤＣリンクバス１０４から出力する。またこのコントローラは、回生運転時においてスイッチＳＷ１、ＳＷ２をスイッチングし、インバータ装置２００からの回生電流を、蓄電手段１０２に回収する。
【０００６】
ＤＣ／ＤＣコンバータ１１０の入力端子１１２と蓄電手段１０２の間には、開閉器ＳＷ３ならびに主スイッチである電磁接触器ＭＣ１が設けられる。開閉器ＳＷ３は、ＤＣ／ＤＣコンバータ１１０の起動時にオンとなり、電磁接触器ＭＣ１は、ＤＣ／ＤＣコンバータ１１０の動作中にオンとなる。
【０００７】
コンバータ装置１００ｒの起動時に、開閉器ＳＷ３および電磁接触器ＭＣ１を突然オンすると、蓄電手段１０２から平滑コンデンサＣ１に向かって、突入電流が流れる。突入電流は、スイッチＳＷ１，ＳＷ２がオフであったとしても、（i）ダイオードＤ２１およびＤＣリンクバス１０４の経路、（ii）リアクトルＬ１およびダイオードＤ１２の経路に流れうる。
【０００８】
この問題を防止するために、電磁接触器ＭＣ１と並列に、突入電流防止用の第１充電抵抗Ｒ１が設けられる。コンバータ装置１００ｒの起動時には、電磁接触器ＭＣ１をオンする前に、蓄電手段１０２から開閉器ＳＷ３および第１充電抵抗Ｒ１を経て、平滑コンデンサＣ１が充電される。したがって第１充電抵抗Ｒ１の抵抗値を適切に定めることで突入電流が防止される。
【０００９】
図１では、コンバータ装置１００の負荷として、インバータ装置２００が接続されている。インバータ装置２００は、コンバータ装置１００ｒからのＤＣリンク電圧ＶＤＣを受け、交流信号に変換して電動機などの負荷２０４を駆動する。
【００１０】
インバータ装置２００は主として入力コンデンサＣ２とインバータ回路２０２を備える。インバータ回路２０２は、入力コンデンサＣ２の電圧を受け、交流電圧に変換し、負荷２０４を駆動する。入力コンデンサＣ２は、ＤＣリンクバス１０４と接続され、入力されるＤＣリンク電圧ＶＤＣを平滑化する。電磁接触器ＭＣ２はインバータ装置２００の主スイッチであり、ＤＣリンクバス１０４と入力コンデンサＣ２の間に設けられる。入力コンデンサＣ２への突入電流を防止するために、電磁接触器ＭＣ２と並列に第２充電抵抗Ｒ２が設けられており、電磁接触器ＭＣ２をオンする前に、第２充電抵抗Ｒ２を介して入力コンデンサＣ２が充電される。
【先行技術文献】
【特許文献】
【００１１】
【特許文献１】特開平７−２３５２３号公報
【特許文献２】特開２００８−３０５８９１号公報
【発明の概要】
【発明が解決しようとする課題】
【００１２】
本発明者は、図１のコンバータ装置１００ｒについて検討した結果、以下の課題を認識するに至った。
【００１３】
使用において、コンバータ装置１００ｒの平滑コンデンサＣ１とインバータ装置２００の入力コンデンサＣ２は、並列接続される。この場合、コンバータ装置１００ｒの第１充電抵抗Ｒ１には、平滑コンデンサＣ１と入力コンデンサＣ２それぞれの充電電流が流れることとなる。そこで仕様書において、ＤＣリンクバス１０４に接続可能な入力コンデンサＣ２の最大値（許容値）Ｃ２ＭＡＸを定めておき、第１充電抵抗Ｒ１として、Ｃ１＋Ｃ２ＭＡＸに対しても信頼性が維持されるような抵抗値および定格電力を有する部品が選定される。
【００１４】
コンバータ装置１００ｒは、それを購入したユーザにより、任意の負荷（インバータ装置２００）との組み合わせで使用される。この場合、インバータ装置２００の入力コンデンサＣ２の容量値が、コンバータ装置１００ｒの仕様書で規定された許容値Ｃ２ＭＡＸを超えることも想定される。特にメンテナンスにおいて、インバータ装置２００が交換された場合や、インバータ装置２００の入力コンデンサＣ２がメンテナンスにおいて交換された場合に、このような状況が生じうる。
【００１５】
ＤＣリンクバス１０４に許容値Ｃ２ＭＡＸを超えるキャパシタが接続されると、第１充電抵抗Ｒ１の消費電力が定格電力を超え、第１充電抵抗Ｒ１の信頼性が低下するおそれがある。なおこのような問題を当業者の一般的な認識と捉えてはならない。
【００１６】
本発明は係る課題に鑑みてなされたものであり、そのある態様の例示的な目的のひとつは、信頼性を高めたコンバータ装置の提供にある。
【課題を解決するための手段】
【００１７】
本発明のある態様は、コンバータ装置に関する。コンバータ装置は、入力コンデンサを含む負荷が接続される出力端子と、リアクトル、スイッチング素子および出力端子と接続される平滑コンデンサを含み、出力端子にＤＣリンク電圧を発生させるＤＣ／ＤＣコンバータと、ＤＣ／ＤＣコンバータの入力端子と蓄電手段の間に設けられる主スイッチと、主スイッチと並列に設けられる充電抵抗と、出力端子に接続される入力コンデンサの容量が許容値より小さいか否かを判定する異常検出部と、を備える。
この態様によると、出力端子に接続される容量を監視することで、突入電流により充電抵抗の定格電力を超えるのを未然に防ぐことができ、信頼性を高めることができる。
【００１８】
異常検出部は、ＤＣリンク電圧の立ち上がり波形にもとづいて、入力コンデンサの容量が許容値より小さいか否かを判定してもよい。
ＤＣリンク電圧は、平滑コンデンサおよび入力コンデンサの充電にともない上昇するところ、その立ち上がり波形（時定数）は、それらの合成容量に依存する。したがって電圧波形を監視することで、入力コンデンサの容量値が許容値を超えているかを判定できる。
【００１９】
異常検出部は、平滑コンデンサおよび入力コンデンサの充電開始後、所定時間内にＤＣリンク電圧がしきい値電圧を超えたか否かにもとづいて、入力コンデンサの容量が許容値より小さいか否かを判定してもよい。
【００２０】
異常検出部は、平滑コンデンサおよび入力コンデンサの充電開始後、ＤＣリンク電圧が所定電圧を超えるのに要する時間が、所定時間より長いか否かにもとづいて、入力コンデンサの容量が許容値より小さいか否かを判定してもよい。
【００２１】
異常検出部は、充電開始後のある時刻ｔにおけるＤＣリンク電圧ＶＤＣを測定し、充電抵抗の抵抗値Ｒ、蓄電手段の電圧ＶＥを用いて、式（１）
Ｃ＝−ｔ／Ｒ×１／ｌｏｇ（１−ＶＤＣ／ＶＥ）    …（１）
にもとづいて、平滑コンデンサおよび入力コンデンサの合成容量Ｃを算出してもよい。
【００２２】
コンバータ装置は、合成容量Ｃの値にもとづき、充電抵抗の好ましい値もしくは充電抵抗に追加すべき抵抗値を表示する表示器をさらに備えてもよい。
これによりコンバータ装置のメンテナンスに要する時間を大幅に短縮できる。
【００２３】
コンバータ装置は、主スイッチと並列な経路に、充電抵抗と直列に接続されたリレーをさらに備えてもよい。入力コンデンサの容量が許容値より大きいとき、リレーをオフしてもよい。
リレーをオフすることで、充電電流の定格電力を超えるのを防止できる。
【００２４】
なお、以上の構成要素の任意の組み合わせや本発明の構成要素や表現を、方法、装置、システムなどの間で相互に置換したものもまた、本発明の態様として有効である。
【発明の効果】
【００２５】
本発明によれば、コンバータ装置の信頼性を高めることができる。
【図面の簡単な説明】
【００２６】
【図１】コンバータ装置の回路図である。
【図２】実施の形態に係るコンバータ装置の回路図である。
【図３】正常時における図２のコンバータ装置の動作波形図である。
【図４】異常時における図２のコンバータ装置の動作波形図である。
【図５】図５（ａ）、（ｂ）は、異常検出部のブロック図である。
【発明を実施するための形態】
【００２７】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２８】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００２９】
図２は、実施の形態に係るコンバータ装置１００の回路図である。コンバータ装置１００は、主として、蓄電手段１０２、ＤＣ／ＤＣコンバータ１１０を備える。これらについては、図１を参照して説明した通りである。
【００３０】
コンバータ装置１００の出力端子１１６には、入力コンデンサＣ２を含むインバータ装置２００が接続される。インバータ装置２００の構成は、図１と同様であるが、別の構成であってもよい。また出力端子１１６に接続される負荷はインバータ装置には限定されない。
【００３１】
また開閉器ＳＷ３および主スイッチとしての電磁接触器ＭＣ１が、蓄電手段１０２とＤＣ／ＤＣコンバータ１１０の入力端子１１２の間に設けられる。電磁接触器ＭＣ１と並列な経路に、第１充電抵抗Ｒ１とリレーＲＹ１が直列に設けられる。リレーＲＹ１のオン、オフは、異常検出部１２０からの制御信号Ｓ２により制御される。開閉器ＳＷ３は、電磁開閉器であってもよいし、手動のブレーカや手動スイッチであってもよい。開閉器ＳＷ３は、開閉器ＳＷ３は、ＤＣ／ＤＣコンバータ１１０の起動時にオンとなり、電磁接触器ＭＣ１は、ＤＣ／ＤＣコンバータ１１０の動作中にオンとなる。
【００３２】
異常検出部１２０は、出力端子１１６に接続される入力コンデンサＣ２の容量が許容値Ｃ２ＭＡＸより小さいか否かを判定する。これは、平滑コンデンサＣ１と入力コンデンサＣ２の合成容量が、その許容値（Ｃ１＋Ｃ２ＭＡＸ）より小さいか否かを判定することと等価である。
【００３３】
異常検出部１２０による容量検出の方法は特に限定されないが、好ましくは異常検出部１２０は、第１充電抵抗Ｒ１を経由した充電に応じたＤＣリンク電圧ＶＤＣの立ち上がり波形にもとづいて、入力コンデンサＣ２の容量が許容値Ｃ２ＭＡＸより小さいか否かを判定する。
【００３４】
第２充電抵抗Ｒ２を無視すれば、平滑コンデンサＣ１と入力コンデンサＣ２の合成容量はＣ＝Ｃ１＋Ｃ２である。
コンバータ装置１００の起動時には、蓄電手段１０２の電圧ＶＥによって、第１充電抵抗Ｒ１を介して合成容量Ｃが充電される。このときのＤＣリンク電圧ＶＤＣの時間波形は、以下の式（２）で表される。
ＶＤＣ＝ＶＥ×｛１−ｅｘｐ（−ｔ／ＣＲ）｝    …（２）
Ｒは第１充電抵抗Ｒ１の抵抗値である。ＣＲは時定数と称される。
【００３５】
たとえば異常検出部１２０は、平滑コンデンサＣ１および入力コンデンサＣ２の第１充電抵抗Ｒ１を介した充電開始後、所定時間τ内にＤＣリンク電圧ＶＤＣがしきい値電圧ＶＴＨを超えたか否かにもとづいて、入力コンデンサＣ２の容量が許容値Ｃ２ＭＡＸより小さいか否かを判定する。しきい値電圧ＶＴＨは所定電圧を用いてもよいし、蓄電手段１０２の電圧ＶＥに基づいて定めてもよい。
【００３６】
そして所定時間τ内にＶＤＣ＞ＶＴＨとなれば、Ｃ２＜Ｃ２ＭＡＸとし正常と判定する。反対に、所定時間τの経過後に、ＶＤＣ＜ＶＴＨであれば、Ｃ２＞Ｃ２ＭＡＸとし、異常と判定する。異常検出部１２０は、異常を検出すると異常検出信号Ｓ１をアサート（たとえばハイレベル）とし、それ以外では異常検出信号Ｓ１をネゲートする。
【００３７】
表示器１３０は、異常検出信号Ｓ１がアサートされると、ユーザに対してインバータ装置２００の入力コンデンサＣ２が不適切であることを報知する。表示器１３０は、液晶ディスプレイなどであってもよいし、単なるＬＥＤランプなどであってもよい。
【００３８】
異常検出部１２０は、第１充電抵抗Ｒ１を介した充電開始後のある時刻ｔにおけるＤＣリンク電圧ＶＤＣおよび蓄電手段１０２の電圧ＶＥを測定する。そして既知である第１充電抵抗Ｒ１の抵抗値Ｒを用いて、
Ｃ＝−ｔ／Ｒ×１／ｌｏｇ（１−ＶＤＣ／ＶＥ）      …（３）
にもとづいて、平滑コンデンサＣ１および入力コンデンサＣ２の合成容量Ｃを算出する。なおコンバータ装置１００の内部に蓄電手段１０２が搭載され、電圧ＶＥが既知である場合には、蓄電手段１０２の電圧ＶＥを測定せずに規定値を用いてもよい。
【００３９】
異常検出部１２０は、合成容量Ｃと、それにふさわしい第１充電抵抗Ｒ１の抵抗値を対応づけるルックアップテーブルを保持してもよい。そして異常検出部１２０は、算出した合成容量Ｃから、それにふさわしい第１充電抵抗Ｒ１の抵抗値Ｒ１’を取得し、表示器１３０に表示してもよい。異常検出部１２０は、追加すべき抵抗値（Ｒ１’−Ｒ１）を演算して表示器１３０に表示してもよい。
【００４０】
以上がコンバータ装置１００の構成である。続いてその動作を説明する。
図３は、正常時における図２のコンバータ装置１００の動作波形図である。はじめに開閉器ＳＷ３がターンオンし、コンバータ装置１００の起動が指示される。そして時刻ｔ０にリレーＲＹ１がオンする。そうすると第１充電抵抗Ｒ１を介して平滑コンデンサＣ１および入力コンデンサＣ２が充電される。ＤＣリンク電圧ＶＤＣは、式（２）に従って上昇する。
【００４１】
時刻ｔ０から所定時間τ経過後の時刻ｔ１に、ＶＤＣとＶＴＨが比較される。ＶＤＣ＞ＶＴＨであるため異常検出信号Ｓ１はアサートされない。
【００４２】
図４は、異常時における図２のコンバータ装置１００の動作波形図である。
時刻ｔ０にリレーＲＹ１がオンし、ＤＣリンク電圧ＶＤＣは、式（２）に従って上昇する。入力コンデンサＣ２の容量が大きいと、つまり合成容量Ｃが大きいと、ＤＣリンク電圧ＶＤＣの立ち上がり時間（時定数ＣＲ）が大きくなり、上昇速度が遅くなる。その結果、時刻ｔ１においてもＶＤＣ＜ＶＴＨとなり、異常検出信号Ｓ１がアサートされる。異常検出信号Ｓ１がアサートされると、その後時刻ｔ２に速やかにリレーＲＹ１がオフされ、第１充電抵抗Ｒ１の電流が遮断される。
【００４３】
以上がコンバータ装置１００の動作である。
このコンバータ装置１００によれば、出力端子１１６に接続される容量（入力コンデンサＣ２）を監視し、許容値ＣＭＡＸより大きいか小さいかを判定することとした。そしてＣ２＞ＣＭＡＸである場合には、異常検出信号Ｓ１をアサートし、リレーＲＹ１がオンしないように制御し、また必要に応じてユーザに通知することで、突入電流により第１充電抵抗Ｒ１の定格電力を超えるのを未然に防ぐことができ、信頼性を高めることができる。
【００４４】
また異常検出部１２０は、ＤＣリンク電圧ＶＤＣの立ち上がり波形にもとづいて、入力コンデンサＣ２の容量が許容値ＣＭＡＸより小さいか否かを判定することとした。
ＤＣリンク電圧ＶＤＣは、平滑コンデンサＣ１および入力コンデンサＣ２の合成容量Ｃの充電にともない上昇するところ、その立ち上がり波形（時定数ＣＲ）は、それらの合成容量Ｃに依存する。したがって電圧波形ＶＤＣを監視することで、入力コンデンサＣ２の容量値が許容値ＣＭＡＸを超えているかを判定できる。
【００４５】
また合成容量Ｃの値にもとづき、充電抵抗の好ましい値もしくは充電抵抗に追加すべき抵抗値を推定し、それを表示器１３０に表示することとした。
従来では、コンバータ装置の故障時にコンバータ装置を調査機関に輸送し、またコンバータ装置を調査するために長い時間を要したが、実施の形態に係るコンバータ装置１００によれば、ユーザのところで抵抗を追加するなどの対策を採ることができ、メンテナンスや調査の時間を短縮できる。
【００４６】
続いて異常検出部１２０の構成例を説明する。図５（ａ）、（ｂ）は、異常検出部１２０のブロック図である。図５（ａ）を参照する。タイマー１２５は時間τを測定する。Ａ／Ｄコンバータ１２１，１２２は、時間τ経過後に、電圧ＶＤＣ，ＶＥをサンプリングし、デジタル値に変換する。乗算器１２３は、デジタル値ＶＥに係数Ｋを乗算し、しきい値ＶＴＨを生成する。デジタルコンパレータ１２４は、Ａ／Ｄコンバータ１２１の出力ＶＤＣと乗算器１２３の出力ＶＴＨを比較する。演算器１２６は、式（３）にもとづき合成容量Ｃを演算する。
【００４７】
図５（ｂ）を参照する。抵抗Ｒ２１，Ｒ２２は、電圧ＶＥを分圧し、しきい値ＶＴＨを生成する。電圧コンパレータ１２７は、電圧ＶＤＣと電圧ＶＴＨを比較する。タイマー１２８は時間τを測定する。ラッチ（フリップフロップ）１２９は、時間τ経過後に電圧コンパレータ１２７の出力をラッチし、異常検出信号Ｓ１を出力する。
【００４８】
なお図５（ａ）、（ｂ）に示した異常検出部１２０は、一般的なマイコンあるいはアナログ回路、デジタル回路で実装可能である。また異常検出部１２０の構成は図５（ａ）、（ｂ）には限定されず、当業者によれば同等の機能を有する別構成の異常検出部１２０を設計することができる。
【００４９】
以上、本発明を実施例にもとづいて説明した。本発明は上記実施形態に限定されず、種々の設計変更が可能であり、様々な変形例が可能であること、またそうした変形例も本発明の範囲にあることは、当業者に理解されるところである。以下、こうした変形例を説明する。
【００５０】
（第１変形例）
異常検出部１２０は、平滑コンデンサＣ１および入力コンデンサＣ２の充電開始後、ＤＣリンク電圧ＶＤＣが所定電圧ＶＴＨを超えるのに要する時間ｔが、所定時間τより長いか否かにもとづいて、入力コンデンサＣ２の容量が許容値Ｃ２ＭＡＸより小さいか否かを判定してもよい。
【００５１】
（第２変形例）
蓄電手段１０２は、コンバータ装置１００の外部に外付けされてもよい。
【００５２】
（用途）
トランスファークレーン、クレーン車、ショベルなどの作業機械、建設機械に油圧と電気のハイブリッドシステムが搭載される場合がある。実施の形態に係るコンバータ装置１００は、これらの電気系統に好適に利用できる。
【００５３】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００５４】
１００…コンバータ装置、１０２…蓄電手段、１０４…ＤＣリンクバス、１１０…ＤＣ／ＤＣコンバータ、１１２…入力端子、１１４…スイッチングノード、１１６…出力端子、Ｌ１…リアクトル、Ｃ１…平滑コンデンサ、ＳＷ１，ＳＷ２…スイッチ、ＳＷ３…開閉器、Ｒ１…第１充電抵抗、ＲＹ１…リレー、ＭＣ１…電磁接触器、１２０…異常検出部、１３０…表示器、２００…インバータ装置、２０２…インバータ回路、２０４…負荷、Ｒ２…第２充電抵抗、Ｃ２…入力コンデンサ、ＭＣ２…電磁接触器、Ｄ１１，Ｄ１２，Ｄ２１，Ｄ２２…ダイオード、１２１，１２２…Ａ／Ｄコンバータ、１２３…乗算器、１２４…デジタルコンパレータ、１２５…タイマー、１２６…演算器、１２７…電圧コンパレータ、１２８…タイマー、１２９…ラッチ、Ｓ１…異常検出信号、Ｓ２…制御信号、ＶＥ…電圧、ＶＤＣ…ＤＣリンク電圧、ＶＴＨ…しきい値電圧。
【図１】
2016174473.tif 000003
【図２】
2016174473.tif 000004
【図３】
2016174473.tif 000005
【図４】
2016174473.tif 000006
【図５】
2016174473.tif 000007